(57)【特許請求の範囲】
【請求項１】
手術に用いられている一又は複数のレントゲン撮影装置における電源スイッチの活殺状態を検出する状態検出手段と、
前記電源スイッチがオンとされたとき、前記手術の終了が近いと検出する進捗検出手段と、
検出された前記終了が近い旨を前記手術が行われている手術室外に告知する告知手段と、
を備えることを特徴とする手術進捗告知装置。
【請求項２】
請求項１に記載の手術進捗告知装置において、
前記状態検出手段は、前記手術に用いられている一又は複数の麻酔装置における電源スイッチの活殺状態を検出し、
前記進捗検出手段は、当該麻酔装置の電源スイッチがオンとされたとき、前記手術が開始されたと検出し、
前記告知手段は、当該手術が開始された旨を前記手術室外に告知することを特徴とする手術進捗告知装置。
【請求項３】
請求項１又は請求項２に記載の手術進捗告知装置において、
前記状態検出手段は、前記手術に用いられている一又は複数の電気メス装置における電源スイッチの活殺状態を検出し、
前記進捗検出手段は、当該電気メス装置の電源スイッチがオンとされたとき、前記手術における切開処置が開始されたと検出し、
前記告知手段は、当該切開処置が開始された旨を前記手術室外に告知することを特徴とする手術進捗告知装置。
【請求項４】
請求項１から請求項３のいずれか一項に記載の手術進捗告知装置において、
前記告知手段は、前記手術に関連する医師待機室、看護師待機室、外来病棟、患者病棟、家族待機室、電源管理施設若しくは前記手術室が含まれる手術区画内の当該手術室以外の場所の少なくともいずれか一カ所に設置されていることを特徴とする手術進捗告知装置。
【請求項５】
コンピュータを、請求項１から請求項４のいずれか一項に記載の手術進捗告知装置における前記状態検出手段及び前記進捗検出手段としてそれぞれ機能させることを特徴とする手術進捗告知用プログラム。
【発明の詳細な説明】
【技術分野】
【０００１】
本発明は、手術進捗告知装置及び手術進捗告知用プログラムの技術分野に属する。より詳細には、手術室内における手術の実際の進捗状況を告知する手術進捗告知装置及び当該手術進捗告知装置用のプログラムの技術分野に属する。
【背景技術】
【０００２】
近年、医学の多様化等の理由により、一般の病院における手術の需要性が従来よりも増している。
【０００３】
一般に、一つの手術を行う場合には、その付帯業務として、例えば、患者に対する手術準備及びその搬送、手術を担当する医師や看護師の手配、手術用器具の滅菌等や手術用機械の搬入／準備、或いは手術後の患者が搬入されるべき病室の準備等、様々な業務が発生する。
【０００４】
一方、一つの病院内における手術室や担当医師等の数は限られているため、各手術を効果的且つ安全に行うためには、上述した付帯業務を含めて複数の手術全体を計画的に行う必要がある。この必要性は、近年の医師や看護師の不足等に起因して増大している。また、そもそも適正看護要員数が定められていないことも上記必要性を増大させる問題の一つである。
【０００５】
このような要請に応えて開発された技術としては、例えば下記特許文献１に開示されているものがある。この特許文献１に開示されている技術は、各手術の予定や実際の手術における進捗を、当該予定にあっては手術全体の管理者が、また実際の手術の進捗にあっては実際に手術を行っている看護師や医師が入力し、それら入力結果をデータとして蓄積して統計的に処理／表示することとされている。
【先行技術文献】
【特許文献】
【０００６】
【特許文献１】特開２００７−１２２１７４号公報
【発明の概要】
【発明が解決しようとする課題】
【０００７】
しかしながら、上述した特許文献１に開示されている技術は、複数の手術についてその予定と実績とを統計的に検討するためのものでしかなく、実際に行われている手術の進捗を外部に告知する点については全く考慮されていない。このため、当該手術が行われている手術室外では当該手術の実際の進捗状況をリアルタイムに認識することができず、結果として当該手術に関連付けて行われるべき業務に支障が出るという問題点があった。
【０００８】
当該問題点としてより具体的には、例えば、その手術対象たる患者が術後に収容される病室の用意に関連する業務、当該手術の次に予定されている別の手術の準備業務、当該別の手術に当たる医師や看護師の割り当て業務、或いは救急の患者に対する手術実施の可否を判断する場合等において、現在実行されている手術の進捗及びある程度の精度を持ったその終了時期の予測等が不可能であることに起因する種々の支障（具体的には、医療スタッフの業務効率にムラが発生する等）が発生していた。ここで、当該医療スタッフとして具体的には、例えば、医師、臨床工学技師、看護師、看護補助者（看護助手とも呼ばれる）等が挙げられる。
【０００９】
また、上述した特許文献１に開示されている技術では、手術中におけるその進捗については、当該手術室内にいる担当者（実際には看護師等）が直接手動で手術が開始された旨等を入力する操作を行う必要ある。従って、迅速性が重要視される高度な手術や看護師等が十分でない場合においては、そのような入力操作を行うこと自体が実際には不可能な場合が多いという問題点もある。
【００１０】
そこで、本発明は上記の各問題点に鑑みて為されたもので、その課題は、手術の進捗を手術室外において人手を要することなく正確且つリアルタイムに認識し得ることで、結果的に当該手術後の関連業務等を円滑に行うことが可能となる進捗告知装置及び当該進捗告知装置用のプログラムを提供することにある。
【課題を解決するための手段】
【００１１】
上記の課題を解決するために、請求項１に記載の発明は、手術に用いられている一又は複数のレントゲン撮影装置における電源スイッチの活殺状態を検出する処理部等の状態検出手段と、前記電源スイッチがオンとされたとき、前記手術の終了が近いと検出する処理部等の進捗検出手段と、検出された前記終了が近い旨を前記手術が行われている手術室外に告知するディスプレイ等の告知手段と、を備える。
【００１２】
よって、手術に用いられているレントゲン撮影装置における電源スイッチの活殺状態を検出し、電源スイッチがオンとされたとき手術の終了が近いと検出し、その終了が近い旨を手術室外に告知するので、当該手術の進捗としての終了が近い旨を手術室外において人手を要さずに正確且つリアルタイムに認識し得ることで、当該手術後の関連業務等を円滑に行うことができる。
【００１７】
上記の課題を解決するために、請求項２に記載の発明は、請求項１に記載の手術進捗告知装置において、前記状態検出手段は、前記手術に用いられている一又は複数の麻酔装置における電源スイッチの活殺状態を検出し、前記進捗検出手段は、当該麻酔装置の電源スイッチがオンとされたとき、前記手術が開始されたと検出し、前記告知手段は、当該手術が開始された旨を前記手術室外に告知するように構成される。
【００１８】
よって、麻酔装置の電源スイッチがオンとされたとき、手術が開始された旨が手術室外に告知されるので、手術室外において手術の開始を正確且つリアルタイムに認識することができる。
【００１９】
上記の課題を解決するために、請求項３に記載の発明は、請求項１又は請求項２に記載の手術進捗告知装置において、前記状態検出手段は、前記手術に用いられている一又は複数の電気メス装置における電源スイッチの活殺状態を検出し、前記進捗検出手段は、当該電気メス装置の電源スイッチがオンとされたとき、前記手術における切開処置が開始されたと検出し、前記告知手段は、当該切開処置が開始された旨を前記手術室外に告知するように構成される。
【００２０】
よって、電気メス装置の電源スイッチがオンとされたとき、切開処置が開始された旨が手術室外に告知されるので、手術室外において当該切開処置の開始を通じて当該手術の進捗を正確且つリアルタイムに認識することができる。
【００２３】
上記の課題を解決するために、請求項４に記載の発明は、請求項１から請求項３のいずれか一項に記載の手術進捗告知装置において、前記告知手段は、前記手術に関連する医師待機室、看護師待機室、外来病棟、患者病棟、家族待機室、電源管理施設若しくは前記手術室が含まれる手術区画内の当該手術室以外の場所の少なくともいずれか一カ所に設置されている。
【００２４】
よって、手術に関連する医師待機室、看護師待機室、外来病棟、患者病棟、家族待機室、電源管理施設若しくは前記手術室が含まれる手術区画内の当該手術室以外の場所の少なくともいずれか一カ所に告知手段が設置されているので、当該各室等において手術の進捗を正確且つリアルタイムに認識することができる。
【００２５】
上記の課題を解決するために、請求項５に記載の発明は、コンピュータを、請求項１から請求項４のいずれか一項に記載の手術進捗告知装置における前記状態検出手段及び前記進捗検出手段としてそれぞれ機能させる。
【００２６】
よって、当該手術進捗告知用プログラムを当該コンピュータにより読み込んで実行することにより、当該手術の進捗を手術室外において人手を要さずに正確且つリアルタイムに認識し得、当該手術後の関連業務等を円滑に行うことができる。
【発明の効果】
【００２７】
請求項１に記載の発明によれば、手術に用いられているレントゲン撮影装置における電源スイッチの活殺状態を検出し、電源スイッチがオンとされたとき手術の終了が近いと検出し、その終了が近い旨を手術室外に告知するので、当該手術の進捗としての終了が近い旨を手術室外において人手を要さずに正確且つリアルタイムに認識し得ることで、結果的に当該手術後の関連業務等を円滑に行うことができる。
【００３０】
請求項２に記載の発明によれば、請求項１に記載の発明の効果に加えて、麻酔装置の電源スイッチがオンとされたとき、手術が開始された旨が手術室外に告知されるので、手術室外において手術の開始を正確且つリアルタイムに認識することができる。
【００３１】
請求項３に記載の発明によれば、請求項１又は請求項２に記載の発明の効果に加えて、電気メス装置の電源スイッチがオンとされたとき、切開処置が開始された旨が手術室外に告知されるので、手術室外において当該切開処置の開始を通じて当該手術の進捗を正確且つリアルタイムに認識することができる。
【００３３】
請求項４に記載の発明によれば、請求項１から請求項３のいずれか一項に記載の発明の効果に加えて、手術に関連する医師待機室、看護師待機室、外来病棟、患者病棟、家族待機室、電源管理施設若しくは前記手術室が含まれる手術区画内の当該手術室以外の場所の少なくともいずれか一カ所に告知手段が設置されているので、当該各室等において手術の進捗を正確且つリアルタイムに認識することができる。
【００３４】
請求項５記載の発明によれば、当該手術進捗告知用プログラムを当該コンピュータにより読み込んで実行することにより、当該手術の進捗を手術室外において人手を要さずに正確且つリアルタイムに認識し得、当該手術後の関連業務等を円滑に行うことができる。
【図面の簡単な説明】
【００３５】
【図１】実施形態に係る手術進捗告知装置の概要構成を示すブロック図である。
【図２】実施形態に係る手術の進捗を例示するタイムチャートである。
【図３】実施形態に係る手術進捗告知装置の動作を示すフローチャートである。
【図４】実施形態に係る手術の進捗の告知例を示す図（Ｉ）であり、（ａ）は初期状態を例示する図であり、（ｂ）は第一の告知例を示す図である。
【図５】実施形態に係る手術の進捗の告知例を示す図（II）であり、（ａ）は第二の告知例を示す図であり、（ｂ）は第三の告知例を示す図である。
【図６】変形形態に係る予定／進捗表示画面例を示す図（Ｉ）である。
【図７】変形形態に係る予定／進捗表示画面例を示す図（II）である。
【発明を実施するための形態】
【００３６】
（Ｉ）実施形態
次に、本発明の実施形態について、図１乃至図５を用いて説明する。なお、以下に説明する実施形態は、一又は複数の手術室を備える病院等内に設置され、当該各手術室内おいて実施される手術の進捗状況を当該出術室外に告知するための手術進捗告知装置に対して本発明を適用した場合の実施形態である。
【００３７】
また、図１は実施形態に係る手術進捗告知装置の概要構成を示すブロック図であり、図２は実施形態に係る手術の進捗を例示するタイムチャートであり、図３は当該手術進捗告知装置の動作を示すフローチャートであり、図４及び図５は実施形態に係る手術の進捗の告知例を夫々示す図である。
【００３８】
図１に示すように、実施形態に係る手術進捗告知装置Ｓは、手術室ＯＰ内に備えられた種々の手術用機械における電源スイッチの活殺を検出し、その検出結果に基づいて当該手術の進捗状況をディスプレイ６１等にリアルタイムに表示するものである。当該手術進捗告知装置Ｓは、図１に示すように当該各手術用機械にインターフェース５０を介して接続された検出手段の一例、状態検出手段の一例及び進捗検出手段の一例としての処理部５０と、例えば医師待機室６０、看護師待機室６５、外来病棟７０、患者病棟７５及び病院全体に係る電源管理施設８０等に夫々設置された告知手段の一例としてのディスプレイ６１、６６、７１、７６及び８１と、により構成されている。
【００３９】
より具体的に手術室ＯＰ内には、上記手術用機械として、時計１０と、エコー装置１１と、無影灯１２と、電気メス１３と、バイポーラ１４と、心電図モニタ１５と、凝固切開装置１６と、Ａラインモニタ１７と、洗浄・吸引装置１８と、血圧モニタ１９と、ガーゼカウンタ２０と、輸液ポンプ２１と、レントゲン装置２２と、輸液・輸血加温装置２３と、空気圧迫装置２４と、酸素飽和度測定モニタ２５と、膀胱温モニタ２６と、マット制御部２７と、加温装置２８と、麻酔装置２９と、敷き布型のマット３１と、掛け布型の体温保持器３２と、が手術室ＯＰ内に備えられている場合について説明する。なおこのような手術用機械が備えられている手術室ＯＰにおいて実施される手術としては、全身麻酔を行うような手術全般が当て嵌まるが、より具体的に例えば、胃切除術や開頭腫瘍摘出術等がある。また、実施形態に係る手術用機械として、いわゆる電子カルテ入出力装置を加えても良い。
【００４０】
図１において、手術を受ける患者Ｐが手術台３０上に横たえられている状態では、マット３１が患者Ｐと手術台３０との間に設置され、その温度がマット制御部２７により手術毎の適温に制御される。また体温保持器３２は患者Ｐの身体の上から毛布のように掛ける形で設置され、その温度が手術毎の適温に制御される。
【００４１】
一方、バイポーラ１４は電気メス１３と同様の原理により切開部等の血液を必要に応じて凝固させる機械で、形態がピンセット状等の機械である。また凝固切開装置１６は上記電気メス１３による切開と同時に、その切開部からの出血を止める等のために当該切開部を凝固させると同時に縫合する機械である。
【００４２】
更にＡラインモニタ１７は患者Ｐの動脈圧（血圧）を観血的に監視するための機械であり、洗浄・吸引装置１８は術野確保と術野洗浄のための生理食塩水等を放水又は吸引するための機械である。またガーゼカウンタ２０は手術に使用されたガーゼの枚数を例えばその重量等から計数する機械であり、例えば手術した患者Ｐの体内にガーゼが置き忘れられること等を防止するための機械である。
【００４３】
輸液ポンプ２１は患者Ｐに対する点滴を一定のペースで滴下させるための機械であり、輸液・輸血用加温装置２３は輸液又は輸血に使用されるコイル状のチューブを適温に加温する機械である。また空気圧迫装置２４は深部静脈血栓症（いわゆるエコノミー症候群）を予防するべく、間欠的に患者Ｐの下肢を圧迫する機械である。更に酸素飽和度測定モニタ２５は患者Ｐにおける酸素飽和度を測定する機械である。膀胱温モニタ２６は尿道より挿入したカテーテル状の温度センサを用いて膀胱内の温度をそのときの患者Ｐの体温として測定する機械である。
【００４４】
レントゲン装置２２は例えば可搬式のレントゲン装置であり、手術後に板状のフィルムを患者Ｐの下に敷き、患者Ｐの上からＸ線撮影することで、患者Ｐの体内に手術器具等が残されていた場合にこれを発見するためのものである。最後に時計１０は手術室ＯＰにおける手術の開始からの経過時間を執刀医等が視認可能に計時するものである。
【００４５】
このとき、上記各手術用機械の各々は、その用途に基づき、当該手術の進捗における使用時期（換言すれば使用開始のタイミング）が夫々に概ね予め決められるものである。
【００４６】
この点についてより具体的に図２を用いて説明する。なお図２は、図１に例示した各手術用機械が手術の流れの中で使用されている期間（タイミング）を、当該各手術用機械毎に時系列的にハッチング表示等により例示するものである。
【００４７】
図１に示す手術室ＯＰ内の各手術用機械の各々について図２に例示するように、例えば時計１０や麻酔装置２９は、麻酔開始のタイミングＴ１から電源スイッチがオンとされてその使用が開始され、手術が終了して患者Ｐが覚醒する段階まで電源スイッチがオンとされたまま使用され続ける。これに対して加温装置２８やマット３１（マット制御部２７）は、患者Ｐが手術室ＯＰに入室してから覚醒後に手術室ＯＰから退室するまでその電源スイッチがオンとされて使用され続けるものである。
【００４８】
一方、無影灯１２は実際の手術が開始されるタイミングで電源スイッチがオンとされるものであり、また電気メス１３やバイポーラ１４は実際の手術中において頻繁に電源スイッチのオン／オフが繰り返されるものである。
【００４９】
更に、エコー装置１１、ガーゼカウンタ２０及びレントゲン装置２２は、主として手術の最終段階で使用されるものであり、特にレントゲン装置２２は手術における閉創前のタイミングＴ３において使用されるものである。
【００５０】
上記の構成において、実施形態に係る手術進捗告知装置Ｓでは、当該手術中において使用される期間（タイミング）が上述した如き各手術用機械毎に予め決められていることに着目し、特定の手術用機械の電源スイッチがオンとされたタイミングを検出することで、その手術用機械が使用されるタイミングまで当該手術の進捗が進んだと見なし、当該進捗をリアルタイムに手術室ＯＰ以外の場所に告知しようとするものである。
【００５１】
このため、実施形態に係る手術進捗告知装置Ｓでは、これら手術用機械における電源スイッチの活殺（オン／オフ）が処理部５０において検出可能なように、各手術用機械がインターフェース５０を介して当該処理部５０に接続されている。より具体的には、例えば各手術用機械においてその電源スイッチがオンとされたときにその旨を表示するインジケータ（例えばＬＥＤランプ等）に対して電流が流されたことを当該各手術用機械毎に処理部５０において検出し、これをもって当該手術用機械における電源スイッチがオンとされたと検出する。また、当該インジケータに対する電流が停止したことを当該各手術用機械毎に処理部５０において検出し、これをもって当該手術用機械における電源スイッチがオフとされたと検出する。或いは、各手術用機械の電源部の稼働状況を処理部５０において当該手術用機械毎に直接検出する構成とすることもできる。
【００５２】
これにより処理部５０は、手術の進捗を把握する上で特徴的な手術用機械の電源スイッチがオンとされたタイミングを検出し、それに基づいて当該手術の進捗を視覚的にディスプレイ６１等上に表示する。
【００５３】
より具体的に実施形態に係る処理部５０は、例えば、麻酔装置２９の電源スイッチがオンとされたタイミングＴ１をもって麻酔が開始されて手術が始められたと検出し、電気メス１３の電源スイッチが最初にオンとされたタイミングＴ２をもって手術における切開が開始された（換言すれば手術が進行している）と検出する。更にレントゲン装置２２の電源スイッチがオンとされたタイミングＴ３をもって手術の終了が近いと検出する。そして、当該各検出結果を各ディスプレイ６１等上に表示する。なお、手術の種類や医師の考え方等によっては、電気メス１３の電源スイッチがオンとされたタイミングをもって「手術の開始」と検出しても良い。
【００５４】
次に、より具体的に処理部５０の動作について、図３を用いて説明する。
【００５５】
図３に例示するように、処理部５０は、手術室ＯＰ全体の主電源がオンとされたか否かを監視している（ステップＳ１）。当該主電源がオフとされている間は（ステップＳ１；ＮＯ）そのまま監視を継続し、一方、当該主電源がオンとされたとき（ステップＳ１；ＹＥＳ）、処理部５０は麻酔装置２９、電気メス１３及びレントゲン装置２２における電源スイッチの状況の監視を開始する（ステップＳ２）。
【００５６】
次に、当該監視下において処理部５０は麻酔装置２９の電源スイッチがオンとされたか否かを確認する（ステップＳ３）。そして、当該麻酔装置２９の電源スイッチがオンとされたことが検出されたとき（ステップＳ３；ＹＥＳ）、処理部５０は、当該麻酔装置２９が稼働している手術室ＯＰにおいて、麻酔の開始により当該手術が開始された旨をディスプレイ６１、６６、７１、７６及び８１上に表示し（ステップＳ４）、後述するステップＳ５の動作に移行する。このときのディスプレイ６１等における表示態様については、後ほど図４（ｂ）を用いて例示する。
【００５７】
一方、ステップＳ３の確認において麻酔装置２９の電源スイッチがオンとされたことが未だ検出されないとき（ステップＳ３；ＮＯ）、処理部５０は上記ステップＳ２に戻って麻酔装置２９等の稼働状況の監視を継続する。
【００５８】
手術室ＯＰにおける手術が開始された旨を表示した後（ステップＳ４）、その監視下（ステップＳ２）において処理部５０は、次に電気メス１３の電源スイッチがオンとされたか否かを確認する（ステップＳ５）。そして、当該電気メス１３の電源スイッチがオンとされたことが検出されたとき（ステップＳ５；ＹＥＳ）、処理部５０は、当該電気メス１３が稼働している手術室ＯＰにおいて切開が開始されて手術が進行している旨をディスプレイ６１、６６、７１、７６及び８１上に表示し（ステップＳ６）、後述するステップＳ７の動作に移行する。このときのディスプレイ６１等における表示態様については、後ほど図５（ａ）を用いて例示する。
【００５９】
一方、ステップＳ５の確認において電気メス１３の電源スイッチがオンとされたことが未だ検出されないとき（ステップＳ５；ＮＯ）、処理部５０は上記ステップＳ４に戻ってディスプレイ６１等における手術開始の旨の表示状態を維持しつつ、電気メス１３の電源スイッチの状態の監視を継続する。
【００６０】
手術室ＯＰにおける手術が進行している旨を表示した後（ステップＳ６）、その監視下（ステップＳ２）において処理部５０は、次にレントゲン装置２２の電源スイッチがオンとされたか否かを確認する（ステップＳ７）。そして、当該レントゲン装置２２の電源スイッチがオンとされたことが検出されたとき（ステップＳ７；ＹＥＳ）、処理部５０は、当該レントゲン装置２２が稼働している手術室ＯＰにおいて手術の終了が間近い旨をディスプレイ６１、６６、７１、７６及び８１上に表示し（ステップＳ８）、後述するステップＳ９の動作に移行する。このときのディスプレイ６１等における表示態様については、後ほど図５（ｂ）を用いて例示する。
【００６１】
一方、ステップＳ７の確認においてレントゲン装置２２の電源スイッチがオンとされたことが未だ検出されないとき（ステップＳ７；ＮＯ）、処理部５０は上記ステップＳ６に戻ってディスプレイ６１等における手術進行中の旨の表示状態を維持しつつ、レントゲン装置２２の電源スイッチの状態の監視を継続する。
【００６２】
手術室ＯＰにおける手術の終了が間近い旨を表示した後（ステップＳ８）、処理部５０は、手術室ＯＰにおける手術が全て終了して当該手術室ＯＰ全体の主電源がオフとされたか否かを確認する（ステップＳ９）。これにより、当該主電源がオフとされたことが確認されないとき（ステップＳ９；ＮＯ）、処理部５０は上記ステップＳ８に戻ってディスプレイ６１等における手術の終了が間近い旨の表示状態を維持する。
【００６３】
他方、ステップＳ９の確認において当該主電源がオフとされたことが確認されたとき（ステップＳ９；ＹＥＳ）、処理部５０は実施形態に係る動作を終了する。
【００６４】
次に、上記ステップＳ４、Ｓ６及びＳ８におけるディスプレイ６１等の表示態様について、具体的に図４及び図５を用いて例示する。
【００６５】
実施形態に係るディスプレイ６１、６６、７１、７６及び８１は、基本的に同様の表示態様であり、具体的には図４（ａ）に例示するように、各手術室ＯＰに付与されている手術室番号を表示する手術室番号表示欄１０１と、当該手術を執刀する医師（執刀医）の氏名、執刀医以外の担当医の氏名、担当看護師の氏名及び所属科名等を表示する情報表示欄１０２と、当該手術の当初の予定（予定開始時刻及び予定終了時刻を含む）を表示する予定表示欄１０３と、上記ステップＳ４、Ｓ６及びＳ８に係る手術の進捗を表示する進捗表示欄１０４と、を含む進捗表示画面１００を表示する。
【００６６】
このとき、進捗表示欄には、例えば図２に例示した手術の進捗における時間的な区分（「入室」、「麻酔開始」、「手術」等の区分）が併せて表示されている。また、予定表示欄１０３に表示されるべき予定は、例えば上記特許文献１に記載された技術により記録されている予定の内容を表示するように構成することができる。
【００６７】
そして、上記ステップＳ４に対応する表示態様として具体的には、図４（ｂ）に例示するように、進捗表示欄１０４における「麻酔開始」区分の先頭の部分（具体的には、例えば図２に示すタイミングＴ１）までの進捗表示１０５が表示される。
【００６８】
次に、上記ステップＳ６に対応する表示態様として具体的には、図５（ａ）に例示するように、上記進捗表示１０５が、進捗表示欄１０４における「手術」区分内の切開開始に対応するタイミング（具体的には、例えば図２に示すタイミングＴ２）まで延伸された状態で表示される。
【００６９】
最後に、上記ステップＳ８に対応する表示態様として具体的には、図５（ｂ）に例示するように、上記進捗表示１０５が、進捗表示欄１０４における「手術終了」区分内のレントゲン撮影に対応するタイミング（具体的には、例えば図２に示すタイミングＴ３）まで延伸された状態で表示される。
【００７０】
（II）変形形態
次に、本発明の変形形態について、図６及び図７を用いて説明する。なお、変形形態に係る手術進捗告知装置において実施形態に係る手術進捗告知装置Ｓと同様の構成については、同様の部材番号を付して細部の説明は省略する。
【００７１】
上述した実施形態では、一つの手術室ＯＰ内で実施される手術の進捗状況を告知するための手術進捗告知装置Ｓについて説明したが、本発明はこれ以外に、複数の手術室ＯＰを備える病院等における当該各手術室ＯＰにおいて同時並行的に実施される手術の進捗状況を夫々告知する場合にも、全く同様に適用可能である。この場合には、当該複数の手術室ＯＰにおける手術の進捗状況を、一つの表示画面内に並列して表示するように構成することが好ましい。
【００７２】
即ち、変形形態に係る手術進捗告知装置の構成としては、図１を用いて説明した実施形態に係る手術進捗告知装置Ｓにおける手術室ＯＰが複数存在している。そしてこれら複数の手術室ＯＰ夫々に設置されている手術用機械各々における電源スイッチの活殺状態が、インターフェース４０と同様のインターフェースを介して処理部５０により検出される。この変形形態に係るインターフェースは、複数の手術室ＯＰ内の手術用機械と処理部５０とを接続するインターフェースである。
【００７３】
これにより処理部５０は、実施形態の場合と同様にして各手術室ＯＰにおける手術の進捗状態を、その手術室ＯＰに設置されている手術用機械における電源スイッチの活殺状態を監視することにより検出し（図２及び図３参照）、その検出結果を一覧として各ディスプレイ６１等に表示する。
【００７４】
次に、変形形態に係る手術進捗の表示態様について、具体的に図６及び図７を用いて例示しつつ説明する。なお図６は、上記複数の手術室ＯＰの夫々においてある日に予定されている手術のスケジュールを示す予定／進捗表示画面の例である。また図７は当該各手術の進捗状況をリアルタイムに一覧表示する予定／進捗表示画面の例である。
【００７５】
図６に例示するように、変形形態に係る各ディスプレイ６１等に表示される予定／進捗表示画面１１０には、複数の手術室ＯＰ毎に、その日に予定されている手術の時間（予定時間）が表示される。なおこの予定／進捗表示画面１１０を表示するために必要な各手術の予定等は、例えば上記特許文献１に開示されている技術を用いて事前にデータとして処理部５０内に記憶されているものである。
【００７６】
より具体的に図６に例示する予定／進捗表示画面１１０には、手術室番号「１」から「１０」で示される十の手術室ＯＰの夫々について、その日に予定されている手術の時間帯が予定表示２００により夫々示されている。なお図６に示す例では、手術室番号「１」の手術室ＯＰ及び手術室番号「２」の手術室ＯＰは、夫々整形外科及び眼科専用の手術室ＯＰとされている。またそれ以外の手術室番号により示される手術室ＯＰは、全ての科で共用される手術室ＯＰである。
【００７７】
更に、各予定表示２００の傍にはプルダウンボタン２０１が夫々表示される。このプルダウンボタン２０１は、夫々、対応する予定表示２００により示される手術に係る詳細表示をいわゆるプルダウン形式で予定／進捗表示画面１１０内に別途表示する際に操作されるボタンである。なおこの詳細表示は、その手術に使用される予定の各手術用機械の名称等とその使用タイミングとを、例えば図２に例示した形式で当該各手術用機械毎に表示するものである。また、予定／進捗表示画面１１０以外のディスプレイ６１等の領域には、予定／進捗表示画面１１０における表示に係る凡例を表示する凡例欄１１１が設けられている。
【００７８】
次に、図７に例示する予定／進捗表示画面１１０について説明する。
【００７９】
図７に例示する予定／進捗表示画面１１０においては、図６に例示した予定／進捗表示画面１１０により表示されていた予定の各手術が実際にどのように進捗しているかが、各手術室ＯＰ毎に一覧表示される。この表示のため、処理部５０は、複数の手術室ＯＰ夫々について、その中に設置されている手術用機械における電源スイッチの活殺状態を常に監視し、その監視結果に応じて各手術毎に進捗を表示する。
【００８０】
即ち図７において、現在時刻指示４００は現在時刻を示す縦棒状の指示であり、時刻の経過に伴って図７中左から右に移動していくものである。
【００８１】
そして、現在時刻指示４００により示される現在時刻において終了している手術については、終了表示３００が対応する元の予定表示２００に重なるように表示される。なお、手術室番号「９」の手術室ＯＰについて例示するように、予定表示２００により示されていた予定時間より遅れて終了した手術については、終了表示３００に遅延終了表示３０１が追加され更に目立つ態様の警告表示３１５が付された状態で表示される。
【００８２】
一方、現在時刻において進行中である手術については、手術室番号「２」、「５」又は「８」の手術室ＯＰについて例示するように、手術段階である旨の手術段階表示３０５が同様に元の予定表示２００に重なるように表示される。また各手術において、麻酔装置２９の電源スイッチがオンとされた後電気メス１３の電源スイッチがオンされるまでの間は、手術室番号「７」の手術室について例示するように麻酔段階表示３２０が元の予定表示２００の一部に重なるように表示される。
【００８３】
更に、レントゲン装置２２の電源スイッチがオンとされたことが検出された場合、手術室番号「３」の手術室ＯＰについて例示するように、その手術については退室準備表示３１０が元の予定表示２００の一部に重なるように表示される。
【００８４】
また、手術室番号「３」の手術室ＯＰについて例示するように、元の予定表示２００により示される予定時間帯が何らかの理由により変更となったことが手術開始前に入力された場合、元の予定表示２００が変更予定表示２０２に変更されて予定／進捗表示画面１１０内に表示される。この場合であって元の予定表示２００により示される予定時間よりもその終了が遅れることになる場合には、警告表示３１５が現在の終了予定時刻に対応した長さで併せて表示される。なおこの場合、変更予定表示２０２により示された変更後の予定時間通りに終わった場合には、遅延終了表示３０１は為されない。
【００８５】
最後に、手術室番号「５」の手術室ＯＰについて例示するように、現在進行中の手術において、処理部５０により検出された進捗に基づいて判断したときにその終了時刻が予定表示２００により示されていた終了予定時刻より遅れる場合には、警告表示３１５が現在の終了予定時刻に対応した長さで併せて表示される。
【００８６】
なお、図７に例示する予定／進捗表示画面１１０内に表示されているプルダウンボタン２０１を操作した場合には、その操作した手術についての現在の進捗状況又は終了した場合の進捗表示がプルダウン形式で且つ例えば図２に例示した形式で表示される。
【００８７】
以上説明したように、実施形態に係る手術進捗告知装置Ｓの動作によれば、手術室ＯＰにおける手術の進捗を電気的に検出し、当該検出された進捗を手術室ＯＰ外のディスプレイ６１等上に表示するので、当該手術の進捗を手術室ＯＰ外において人手を要さずに正確且つリアルタイムに認識し得ることで、当該手術後の関連業務等を円滑に行うことができる。
【００８８】
また、手術に用いられている機械における電気的な稼働状態に基づいて、当該手術の進捗を検出し、当該進捗をより正確且つリアルタイムに検出して手術室外に告知することができる。
【００８９】
更に、一又は複数の機械における電源スイッチの活殺状態を稼働状態として検出し、進捗に対応して予め設定されている機械の活殺状態に基づいて当該進捗を検出するので、手術の進捗に対応した機械の電源スイッチの活殺状態に基づいてより正確且つリアルタイムに手術の進捗を外部から認識することができる。
【００９０】
更にまた、稼働状態検出の対象が麻酔装置２９であり、当該麻酔装置２９の電源スイッチがオンとされたとき手術が開始された旨が手術室ＯＰ外に告知される。また、稼働状態検出の対象が電気メス１３であり、当該電気メス１３の電源スイッチがオンとされたとき切開処置が開始された旨が手術室ＯＰ外に告知される。更に、稼働状態検出の対象がレントゲン装置２２であり、当該レントゲン装置２９の電源スイッチがオンとされたとき手術の終了が近い旨が手術室ＯＰ外に告知される。
【００９１】
よって、麻酔装置２９の稼働開始を通じて手術の開始を、切開処置の開始を通じて当該手術の進捗を、更にレントゲン装置２２の稼働開始を通じて手術の終了が近い旨を、手術室ＯＰ外において夫々正確且つリアルタイムに認識することができる。
【００９２】
また、手術に関連する医師待機室６０、看護師待機室６５、外来病棟７０、患者病棟７５又は電源管理施設８０の少なくともいずれか一カ所にディスプレイ６１等が設置されているので、当該各室において手術の進捗を正確且つリアルタイムに認識することができる。
【００９３】
なお、本発明は、上述した実施形態に係る手術進捗告知装置Ｓ以外の態様の手術進捗告知装置に対しても適用可能である。
【００９４】
先ず、電気メス１３等による手術の進捗の告知については、当該電気メス１３が図２に例示するように断続的に稼働されるものである点に鑑み、一回の電源スイッチのオン／オフを夫々検出し、それに基づき、一回の電源スイッチのオンを検出する度に手術の進行を示す進捗表示１０５（図５（ａ）参照）を段階的に延伸させるように構成することもできる。
【００９５】
また、手術の進捗に応じてその時点で電源スイッチがオンとされている他の手術用機械を別途いわゆるプルダウンメニュー等により表示するように構成することもできる。
【００９６】
更に、上述した実施形態では、実際の手術の進捗のみを告知する構成としたが、これ以外に、例えば上記特許文献１に記載の技術により記録されている手術の予定に加えて、その開始の遅延状況等を併せて表示するように構成することもできる。
【００９７】
更にまた、上述した実施形態では、手術室ＯＰ内に設置された様々な手術用機械における電源スイッチの活殺を検出して手術の進捗状況を検出する構成としたが、これ以外に、例えば一つの手術室ＯＰに係る電力消費量の時間的な変化を検出し、当該変化を手術の進捗状況に置き換えて表示するように構成することも可能である。
【００９８】
更に、手術の進捗の告知の態様は、実施形態に示したような表示による告知の他に、例えば病院内の必要部署（上記医師待機室６０等）に対する音声による告知としても良い。
【００９９】
また、実施形態においては、医師待機室６０等に対する各告知内容は全て同一としては、これ以外に、医師待機室６０、看護師待機室６５、外来病棟７０、患者病棟７５又は電源管理施設８０の間でその表示態様の詳細度又は変更のタイミングを異ならせるようにしても良い。更にディスプレイ６１等の設置場所として、家族待機室や手術室ＯＰが含まれる手術区画内の当該手術室ＯＰ以外の場所（廊下等）を含ませても良い。
【０１００】
なお、図３に示すフローチャートに対応するプログラムをフレキシブルディスク等の記録媒体に記録しておき、又はインターネット等のネットワークを介して取得して記録しておき、これを汎用のコンピュータで読み出して実行することにより、当該汎用のコンピュータを実施形態に係る処理部５０として機能させることも可能である。
【産業上の利用可能性】
【０１０１】
以上夫々説明したように、本発明は手術進捗告知装置の分野に利用することが可能であり、特に複数の手術室ＯＰを有する大きな病院における手術室の使用管理の分野に適用すれば特に顕著な効果が得られる。
【符号の説明】
【０１０２】
ＯＰ    手術室
１０    時計
１１    エコー装置
１２    無影灯
１３    電気メス
１４    バイポーラ
１５    心電図モニタ
１６    凝固切開装置
１７    Ａラインモニタ
１８    洗浄・吸引装置
１９    血圧モニタ
２０    ガーゼカウンタ
２１    輸液ポンプ
２２    レントゲン装置
２３    輸液・輸血加温装置
２４    空気圧迫装置
２５    酸素飽和度測定モニタ
２６    膀胱温モニタ
２７    マット制御部
２８    加温装置
２９    麻酔装置
３０    手術台
３１    マット
３２    体温保持器
４０    インターフェース
５０    処理部
６０    医師待機室
６１、６６、７１、７６、８１    ディスプレイ
６５    看護師待機室
７０    外来病棟
７５    患者病棟
８０    電源管理施設
１００    進捗表示画面
１０１    手術室番号表示欄
１０２    情報表示欄
１０３    予定表示欄
１０４    進捗表示欄
１０５    進捗表示
１１０    予定／進捗表示画面
２００    予定表示
２０１    プルダウンボタン
１１１    凡例欄
４００    現在時刻指示
３００    終了表示
３０１    遅延終了表示
３１５    警告表示
３０５    手術段階表示
３２０    麻酔段階表示
３１０    退室準備表示
２０２    変更予定表示
【図１】
0005513815.tif 000002
【図２】
0005513815.tif 000003
【図３】
0005513815.tif 000004
【図４】
0005513815.tif 000005
【図５】
0005513815.tif 000006
【図６】
0005513815.tif 000007
【図７】
0005513815.tif 000008